(57)【要約】【課題】ジューサーの洗浄ブラシにおいて、ある程度摩耗しても分離フィルターとの接触圧力を保ち、洗浄効果が持続するようにしたことを目的とする。【解決手段】洗浄ブラシ１９の先端面から分離フィルター１０内周面までの垂直距離を可変に構成することにより、洗浄ブラシ１９がある程度摩耗しても分離フィルター１０との接触圧力を保ち、洗浄効果が持続するジューサーが得られる。【選択図】  図１
2004230096.tif 000002
【特許請求の範囲】
【請求項１】
電動機を内蔵する本体と、前記本体上に載置されるジュース回収容器と、前記ジュース回収容器内に配置され前記電動機により回転駆動される円錐台形の分離フィルターと、前記ジュース回収容器を覆う蓋と、前記蓋に設けた洗浄ブラシ挿入口から前記分離フィルターの斜面に沿って挿入し前記分離フィルター内周面を清掃する洗浄ブラシとを備え、前記洗浄ブラシの先端面から前記分離フィルター内周面までの垂直距離を可変に構成したジューサー。
【請求項２】
洗浄ブラシの位置を調整できる洗浄ブラシ挿入口を備えた請求項１に記載のジューサー。
【請求項３】
洗浄ブラシ挿入口をスライド可能に蓋に取り付けた請求項２に記載のジューサー。
【請求項４】
洗浄ブラシ挿入口または洗浄ブラシに複数箇所の案内部を備えた請求項２に記載のジューサー。
【請求項５】
洗浄ブラシを支持部に対して可動に取り付けた請求項１に記載のジューサー。
【請求項６】
洗浄ブラシを支持部に対して押し出す方向に付勢して取り付けた請求項５に記載のジューサー。
【請求項７】
洗浄ブラシを支持部に弾性部材を介して分離フィルターの方向に付勢して取り付けた請求項５に記載のジューサー。
【発明の詳細な説明】
【０００１】
【発明の属する技術分野】
本発明は洗浄ブラシの支持構成に特徴を有する家庭用のジューサーに関するものである。
【０００２】
【従来の技術】
従来、蓋に設けた洗浄ブラシ挿入口から洗浄ブラシを分離フィルターの斜面に沿って挿入し分離フィルター内周面を清掃するようにしたジューサーは、洗浄ブラシの先端面から分離フィルター内周面までの垂直距離が変わらないように構成している（例えば、特許文献１参照）。
【０００３】
図５は従来のジューサーを示すもので、支持部１に固定された洗浄ブラシ２は蓋３に設けた洗浄ブラシ挿入口４から一定の角度で案内されながら挿入され、分離フィルター５の内面を洗浄するようにしている。したがって、洗浄ブラシ２の先端面から分離フィルター５の内周面までの垂直距離は一定なものである。
【０００４】
【特許文献１】
特開平９−２９９２２９号公報
【０００５】
【発明が解決しようとする課題】
しかしながら、前記従来のような構成によると、洗浄ブラシ２の先端面が摩耗してくると、分離フィルター５との接触圧力が小さくなり、洗浄効果が低下するという課題を有していた。
【０００６】
本発明は、前記従来の課題を解決するもので、洗浄ブラシがある程度摩耗しても分離フィルターとの接触圧力を保ち、洗浄効果が持続するジューサーを提供することを目的とする。
【０００７】
【課題を解決するための手段】
前記従来の課題を解決するために、本発明のジューサーは、洗浄ブラシの先端面から分離フィルター内周面までの垂直距離を可変に構成するものである。
【０００８】
これにより、洗浄ブラシがある程度摩耗しても、洗浄ブラシを可変することで、分離フィルターとの接触圧力を保ち、洗浄効果が持続するジューサーが得られる。
【０００９】
【発明の実施の形態】
請求項１に記載の発明は、電動機を内蔵する本体と、前記本体上に載置されるジュース回収容器と、前記ジュース回収容器内に配置され前記電動機により回転駆動される円錐台形の分離フィルターと、前記ジュース回収容器を覆う蓋と、前記蓋に設けた洗浄ブラシ挿入口から前記分離フィルターの斜面に沿って挿入し前記分離フィルター内周面を清掃する洗浄ブラシとを備え、前記洗浄ブラシの先端面から前記分離フィルター内周面までの垂直距離を可変に構成したものであり、洗浄ブラシがある程度摩耗しても洗浄ブラシを可変することで、分離フィルターとの接触圧力を保ち、洗浄効果を持続できる。
【００１０】
請求項２に記載の発明は、請求項１の構成において、洗浄ブラシの位置を調整できる洗浄ブラシ挿入口を備えた構成としたものであり、洗浄ブラシが摩耗してくると洗浄ブラシの位置を分離フィルターに近づけることで接触圧力を保ち、洗浄効果を持続できる。
【００１１】
請求項３に記載の発明は、請求項２の構成において、洗浄ブラシ挿入口をスライド可能に蓋に取り付けたことにより、洗浄ブラシが摩耗してくると洗浄ブラシの位置を分離フィルターにスライドさせて近づけることで接触圧力を保ち、洗浄効果を持続できる。
【００１２】
請求項４に記載の発明は、請求項２の構成において、洗浄ブラシ挿入口または洗浄ブラシに複数箇所の案内部を備えたことにより、洗浄ブラシが摩耗してくると洗浄ブラシの位置を別の案内部に差し変えて分離フィルターに近づけることで接触圧力を保ち、洗浄効果を持続できる。
【００１３】
請求項５に記載の発明は、請求項１の構成において、洗浄ブラシを支持部に対して可動に取り付けたことにより、洗浄ブラシが摩耗してくると洗浄ブラシの位置を分離フィルターに近づけることで接触圧力を保ち、洗浄効果を持続できる。
【００１４】
請求項６に記載の発明は、洗浄ブラシを支持部に対して押し出す方向に付勢して取り付けたことにより、洗浄ブラシが摩耗してくると洗浄ブラシが押し出され分離フィルターとの接触圧力を保ち、洗浄効果を持続できる。
【００１５】
請求項７に記載の発明は、請求項５の構成において、洗浄ブラシを支持部に弾性部材を介して分離フィルターの方向に付勢して取り付けたことにより、洗浄ブラシが摩耗してくると洗浄ブラシが分離フィルターの方向に自動的に移動し分離フィルターとの接触圧力を保ち、洗浄効果を持続できる。
【００１６】
【実施例】
以下、本発明の実施例について、図面を参照しながら説明する。
【００１７】
（実施例１）
図１は本発明の実施例１におけるジューサーを示すものである。
【００１８】
図において、６はジューサーの本体で、電動機７を内蔵している。電動機７の上部に設けたコネクタ８には、カッター９を底部に設けた分離フィルター１０を着脱自在に取り付けてこれを回転駆動させている。１１は本体６上に載置されたジュース回収容器、１２は材料投入口１３を備えジュース回収容器１１の上部開口を覆う蓋であり、材料投入口１３から材料を投入し押し込み棒１４で回転するカッター９に供給して切削している。切削された材料は、分離フィルター１０を通過するジュースと分離フィルター１０の上部開口より飛散する粕とに分離され、ジュースはジュース回収容器１１内のジュース案内部１５を流れ、粕は粕受け１６に集められる。
【００１９】
ジュースを絞り終えた後には、蓋１２に設けた洗浄ブラシ挿入口１７のキャップ１８を開き、運転しながら洗浄ブラシ１９を挿入して回転している分離フィルター１０の清掃をする。ここで、洗浄ブラシ挿入口１７は、蓋１２に対してスライド可能に設け、洗浄ブラシ１９の先端面から前記分離フィルター１０の内周面までの垂直距離を可変に構成している。洗浄ブラシ１９は注水口２１を備えた支持部２０に取り付けており、支持部２０の端部には着脱自在に洗浄水タンク２２を取り付けている。洗浄ブラシ１９による分離フィルター１０の清掃時には、洗浄水タンク２２内の洗浄水を分離フィルター１０に注ぎながら洗浄するようにしている。
【００２０】
以上のように構成されたジューサーについて、以下にその動作を説明する。洗浄ブラシ挿入口１７が蓋１２にスライド可能に取り付けられていることから、洗浄ブラシ１９が摩耗してくると洗浄ブラシ１９の位置を分離フィルター１０にスライドさせて近づけることで接触圧力を保ち、洗浄効果を持続できる。
【００２１】
なお、本実施例では、洗浄ブラシ１９の先端面から前記分離フィルター１０の内周面までの垂直距離を可変にするために、洗浄ブラシ挿入口１７を蓋１２にスライド可能に取り付けたが、洗浄ブラシ１９の位置を調整できる洗浄ブラシ挿入口１７であればよく、スライド構成に限られるものではない。
【００２２】
（実施例２）
図２は本発明の実施例２におけるジューサーの洗浄ブラシと洗浄ブラシ挿入口の構成を示すものであり、その他の構成は実施例１と同一である。
【００２３】
本実施例では、蓋２３に一体に洗浄ブラシ挿入口２４を設け、これには複数箇所の案内部２５、２６を備えており、洗浄ブラシ２７の支持部２８を案内部２５、２６のどちらかに挿入できるようにしている。
【００２４】
以上のように構成されたジューサーについて、以下にその動作を説明する。使い始めは洗浄ブラシ２７の支持部２８を案内部２５に挿入して洗浄し、洗浄ブラシ２７が摩耗し洗浄効果が低下しだすと、今度は洗浄ブラシ２７の支持部２８を案内部２６に挿入することで接触圧力を回復でき、洗浄効果を持続できる。
【００２５】
なお、上記構成とは逆に、案内部２５、２６を洗浄ブラシ２７の支持部２８に設け、蓋２３に設けた突部を案内部２５、２６のいずれかに挿入するようにしてもよい。また、案内部２５、２６は２箇所に限らずそれ以上であってもよい。
【００２６】
（実施例３）
図３は本発明の実施例３におけるジューサーの構成を示すものである。実施例１と同一構成部品には同じ符号を付し、その説明は省略する。
【００２７】
異なる点は、洗浄ブラシ２９を支持部３０に対してバネ３１により押し出す方向、すなわち分離フィルター１０方向に付勢して取り付けたことである。また、洗浄ブラシ挿入口３２は蓋３３に一体に設けて固定されている。
【００２８】
以上のように構成されたジューサーについて、以下にその動作を説明する。洗浄ブラシ２９を支持部３０に対して押し出す方向に付勢したことにより、洗浄ブラシ２９が摩耗してくると洗浄ブラシ２９が押し出され分離フィルター１０との接触圧力を保ち、洗浄効果を持続できる。
【００２９】
なお、洗浄ブラシ２９を支持部３０に対して押し出す方向に付勢して洗浄効果を持続できるようにしたが、これに限られるものではなく、他の構成により洗浄ブラシ２９が支持部３０に対して可動するものであればよい。
【００３０】
（実施例４）
図４は本発明の実施例４におけるジューサーを示すものである。実施例３と同一構成部品には同じ符号を付し、その説明は省略する。
【００３１】
異なる点は、洗浄ブラシ３４を支持部３５の先端部に板バネなどの弾性部材３６を介して分離フィルター１０の方向に付勢して取り付けていることである。
【００３２】
以上のように構成されたジューサーについて、以下にその動作を説明する。洗浄ブラシ３４を弾性部材３６により分離フィルター１０の方向に付勢して取り付けたことにより、洗浄ブラシ３４が摩耗してくると洗浄ブラシ３４が分離フィルター１０の方向に移動し分離フィルター１０との接触圧力を保ち、洗浄効果を持続できる。
【００３３】
【発明の効果】
以上のように、本発明のジューサーによれば、洗浄ブラシ面から分離フィルター内周面までの垂直距離を可変に構成することにより、洗浄ブラシがある程度摩耗しても分離フィルターとの接触圧力を保ち、洗浄効果が持続するジューサーが得られる。
【図面の簡単な説明】
【図１】（ａ）本発明の実施例１におけるジューサーの縦断面図
（ｂ）（ａ）のＡ−Ａ線による断面図
【図２】本発明の実施例２におけるジューサーの要部斜視図
【図３】本発明の実施例３におけるジューサーの縦断面図
【図４】本発明の実施例４におけるジューサーの縦断面図
【図５】従来のジューサーの縦断面図
【符号の説明】
６  本体
７  電動機
１０  分離フィルター
１１  ジュース回収容器
１２、２３、３３  蓋
１７、２４、３２  洗浄ブラシ挿入口
１９、２７、２９、３４  洗浄ブラシ
２５、２６  案内部
２０、３０、３５  支持部
３６  弾性部材
【図１】
2004230096.tif 000003
【図２】
2004230096.tif 000004
【図３】
2004230096.tif 000005
【図４】
2004230096.tif 000006
【図５】
2004230096.tif 000007